(57)【要約】本願発明は、トークン化された支払トランザクションスキーム中に配送先住所を提供する安全な方法に関する。消費者は配送先住所を提供せずに販売者に注文を行う。販売者への支払を収集する流通者は、支払代理人から、支払識別コードと配送先住所とを要求する。要求は支払情報を含む。支払代理人は、支払識別コードを生成し、支払識別コードを支払情報と共に格納し、コードを流通者を介して消費者へ送信する。消費者は、支払代理人への転送のためにコードを金融機関へ転送する。支払代理人は支払情報を配送先住所の要求と共に返信する。消費者は支払を承認して配送先住所を提供することによって応答してよい。金融機関は次いで販売者への支払を調整し、販売者が配送先住所を受信することを確認する。
2019519861.tif 000002
【特許請求の範囲】
【請求項１】
消費者と販売者との間の注文を支援するコンピュータ実装方法であって、当該方法は、
(i)前記消費者のコンピューティング装置が、配送先住所を提供することなく前記販売者のコンピューティング装置へ注文を提出するステップと、
(ii)流通者のコンピューティング装置が、支払識別コードと配送先住所との要求を支払代理人のコンピューティング装置へ送信するステップであって、前記流通者は前記販売者への支払を収集するために前記販売者に関連付けられ、前記要求は前記販売者と支払金額とを識別する支払情報を含む、ステップと、
(iii)前記支払代理人のコンピューティング装置が、明確に識別される前記支払を可能にする一意の前記支払情報と関連付けられた支払識別コードを生成し、前記支払識別コードを、前記関連付けられた支払情報と、配送先住所が収集されるべきという標示と共に格納するステップと、前記支払識別コードを前記流通者のコンピューティング装置に提供するステップと、
(iv)前記流通者のコンピューティング装置が、前記消費者に前記支払識別コードを、直接的に又は前記販売者のコンピューティング装置を介して提供するステップと、
(v)前記消費者のコンピューティング装置が、前記支払識別コードを受信するステップと、
(vi)前記支払識別コードを受信した前記消費者のコンピューティング装置が、前記支払識別コードを金融機関のコンピューティング装置へ送信するステップであって、前記金融機関は前記消費者からの支払を行う、前記消費者と関連付けられた金融機関である、ステップと、
(vii)前記金融機関のコンピューティング装置が、前記支払識別コードを、前記支払代理人のコンピューティング装置に送信するステップと、
(viii)前記支払代理人のコンピューティング装置が、前記支払識別コードを受信して、前記支払識別コードを用いて、前記支払識別コードに関連付けられた、前記格納された支払情報を検索するステップと、前記支払識別コードに関連付けられた前記支払情報を前記金融機関のコンピューティング装置に送信するステップと、配送先住所が要求されることの標示が格納されたことに応答して、配送先住所の要求を前記金融機関のコンピューティング装置に送信するステップと、
(ix)前記金融機関のコンピューティング装置が、前記支払情報と、前記支払識別コードと、配送先住所の要求とを、前記支払識別コードを受信した前記消費者のコンピューティング装置へ送信するステップと、
(x)前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップと、
(xi)前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップと、
(xii)前記金融機関のコンピューティング装置が前記消費者から前記販売者への支払を、前記販売者に直接的に又は前記流通者を介して間接的に調整するステップと、
(xiii)前記販売者のコンピューティング装置が前記選択された配送先住所の前記標示を受信するステップと、を含むコンピュータ実装方法。
【請求項２】
消費者と販売者との間の注文を支援するコンピュータ実装方法であって、当該方法は、
(a)消費者のコンピューティング装置を用いて、支払識別コードの要求を金融機関のコンピューティング装置へ送信するステップであって、前記金融機関は前記消費者からの支払を行う、前記支払者と関連付けられた金融機関である、ステップと、
(b)前記金融機関のコンピューティング装置が、前記支払識別コードの要求を、支払代理人のコンピューティング装置に送信するステップと、
(c)前記支払代理人のコンピューティング装置が応答して、明確に識別される前記支払を可能にする一意の支払識別コードを生成し、前記支払識別コードを、前記要求を行う金融機関の標示と共に格納し、前記支払識別コードを前記金融機関のコンピューティング装置に提供するステップと、
(d)前記金融機関のコンピューティング装置が、前記支払識別コードを、前記消費者のコンピューティング装置に送信するステップと、
(e)前記消費者のコンピューティング装置が、前記販売者のコンピューティング装置へ注文を提出し、配送先住所を提供せずに前記支払識別コードを提供するステップと、
(f)流通者のコンピューティング装置が、前記支払代理人のコンピューティング装置にメッセージを送信するステップであって、前記流通者は前記販売者への支払を収集するために前記販売者に関連付けられ、前記要求は前記支払識別コードと前記販売者及び支払金額を識別する支払情報と、配送先住所の要求とを含む、ステップと、
(g)前記支払代理人のコンピューティング装置が、前記支払情報と配送先住所が取得されるべきであるとの標示とを前記関連付けられた支払識別コードと共に格納するステップと、前記支払情報と配送先住所の要求とを前記金融機関のコンピューティング装置へ送信するステップと、
(ix)前記金融機関のコンピューティング装置が、前記支払情報と、前記支払識別コードと配送先住所の要求とを、前記支払識別コードを受信した前記消費者のコンピューティング装置へ送信するステップと、
(x)前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップと、
(xi)前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップと、
(xii)前記金融機関のコンピューティング装置が前記消費者から前記販売者への支払を、前記販売者に直接的に又は前記流通者を介して間接的に調整するステップと、
(xiii)前記販売者のコンピューティング装置が前記選択された配送先住所の前記標示を受信するステップと、を含むコンピュータ実装方法。
【請求項３】
請求項１又は２に記載のコンピュータ実装方法において、前記金融機関のコンピューティング装置は前記販売者のコンピューティング装置によって受信される前記選択された配送先住所を識別するメッセージを送信する、コンピュータ実装方法。
【請求項４】
請求項３に記載のコンピュータ実装方法において、前記選択された配送先住所を識別する前記メッセージは、前記金融機関のコンピューティング装置から前記販売者のコンピューティング装置へ、前記支払代理人のコンピューティング装置を介して又は選択的に前記流通者のコンピューティング装置を介して、送信される、コンピュータ実装方法。
【請求項５】
請求項３又は４に記載のコンピュータ実装方法において、前記選択された配送先住所を識別する前記メッセージは、前記支払識別コードを含む、コンピュータ実装方法。
【請求項６】
先行する請求項のいずれか１項に記載のコンピュータ実装方法において、前記消費者のコンピューティング装置が、前記支払識別コードと前記選択された配送先住所の標示とを含む支払要求メッセージを前記金融機関のコンピューティング装置に送信するステップは、郵送用配送先住所、又は、前記金融機関のコンピューティング装置がメモリから前記消費者の郵送用配送先住所を検索することを可能にする識別コード、を含むことを含むコンピュータ実装方法。
【請求項７】
先行する請求項のいずれか１項に記載のコンピュータ実装方法において、前記消費者のコンピューティング装置が前記消費者に配送先住所の選択を促すステップは、配送先住所を表示して前記消費者に前記表示された住所が使用されるべきことを確認するよう促すことを含む、コンピュータ実装方法。
【請求項８】
請求項７に記載のコンピュータ実装方法において、格納された既定の配送先住所を表示して、前記消費者に前記既定の配送先住所が使用されるべきことを確認するよう促すステップを含む、コンピュータ実装方法。
【請求項９】
先行する請求項のいずれか１項に記載のコンピュータ実装方法において、前記消費者のコンピューティング装置が前記消費者に配送先住所を選択するよう促すことは、複数の配送先住所を表示して、前記表示された配送先住所の１つを前記注文用の配送先住所として選択するよう前記消費者に促すことを含む、コンピュータ実装方法。
【請求項１０】
先行する請求項のいずれか１項に記載の方法を実行するようプログラムされたコンピュータシステム。
【請求項１１】
１以上のコンピュータプログラムのセットであって、実行されると、請求項１乃至９のいずれか１項に記載の方法をコンピュータシステムに実行させる、セット。
【請求項１２】
請求項１１に記載の１以上のコンピュータプログラムのセットを格納したコンピュータプログラム製品。
【請求項１３】
添付図面のいずれかを参照して実質的に本願に記載された方法。
【請求項１４】
添付図面のいずれかを参照して実質的に本願に記載されたコンピュータシステム。
【発明の詳細な説明】
【技術分野】
【０００１】
本願発明は、トークン化された支払トランザクションスキーム中に配送先住所を提供する安全な方法に関する。
【背景技術】
【０００２】
オンライン支払（例えばインターネットショッピング中）を行うことの不利益が知られている。これらの不利益のほとんどは、オンライン支払を行うことに関する安全性リスクに由来する。例えば消費者は機密金融情報をコンピュータに入力してインターネットを介して提出を行うよう要求される。これにより消費者は、その機密金融情報が盗難され又は詐欺的に使用される周知のリスクにさらされる。
【０００３】
トークン化されたトランザクションスキームが提案され、そのような懸念に対処する。これらのスキームによって、トランザクションは調整され、消費者は自身の機密金融情報を販売者に共有する必要がないという利益を受ける。代わりにトランザクションは信頼された第三者を用いて調整される。
【０００４】
例えば購入するとき、消費者はトークン化された支払スキームを用いて支払うことを希望する。消費者は信頼された第三者（すなわち、支払代理人）からトークン又はコードを要求する。これは、販売者ウェブサイトから、モバイルコンピューティング装置アプリから、又は、消費者のコンピューティング装置の１つに提供される他のソフトウェアから実行されてよい。支払代理人はコードを生成し、コードに対して消費者の詳細を保存し、コードを消費者へ送信する。消費者は次いで、例えばコードを販売者ウェブサイトの支払ページ上に入力することによって、コードを販売者に提供する。販売者は次いで支払要求を支払代理人に送信する。支払要求はトランザクション詳細（例えば注文された商品の量、価格、販売日時等）を含み、消費者の詳細を示すコードを共に含む。支払代理人はコードを用いて、消費者の詳細を検索し、次いで、トランザクション詳細を消費者に送信し、消費者は支払を承認する。消費者は、例えば消費者のコンピューティング装置の１つで、トランザクション詳細を視認する。もし承認されれば、消費者は、トランザクションを承認する肯定的応答を支払代理人に送信する。支払代理人は次いで、販売者の元の支払要求に沿って、支払が販売者に対してなされるよう調整する。支払代理人は消費者と販売者とに、トランザクションが調整されたことを通知してよい。このため、販売者は商品又は役務を消費者に渡してよい。トランザクション中のいかなるときにも、消費者の機密金融情報は販売者へ渡されない。国際公開パンフレット第2009/072977号公報には、このようなトークン化された支払スキームが開示される。
【０００５】
上記は、トランザクションを調整するときの安全性に対する改善策を提示する。しかし、それは、消費者が販売者へ配送先住所を提供することに関連付けられた安全性問題に対処しない。本願発明は配送先住所を提供することの問題に対処する。
【発明の概要】
【０００６】
第１の態様によれば、本願発明は、消費者と販売者との間の注文を支援するコンピュータ実装方法を有する。
【０００７】
本方法は(i)配送先住所を提供することなく販売者のコンピューティング装置へ注文を提出する、消費者のコンピューティング装置を含む。注文は商品若しくは役務又はそれらの両方に対するものであってよい。配送先住所は商品が配送される先の住所であってよい。役務が提供されるとき、配送先住所は役務が提供される住所であってよい。もし役務がどこかで提供されるとき、配送先住所は請求書が配送される先の住所であってよいし、消費者レコードの場所（例えば税金目的のもの）に単に対応してよい。
【０００８】
本方法は更に、(ii)流通者のコンピューティング装置が支払識別コードと配送先住所についての要求を支払代理人のコンピューティング装置に送信することを含む。流通者は販売者への支払を収集するために販売者に関連付けられる。支払識別コードと配送先住所とに対する要求は、販売者と支払金額とを識別する支払情報を含む。
【０００９】
販売者が自身の流通者として行動するとき、要求は販売者のコンピューティング装置によって送信されてよい。支払識別コードに対する要求に含まれる支払情報は、流通者を識別してよい。
【００１０】
要求は流通者によって、例えば消費者がウェブサイト上でショッピングして決済するときに開始されてよい。要求は、流通者によってホストされる支払ページへ（又はウェブページ内に設定された支払フレームへ）向けられる。代替的に、本方法は更に、販売者のコンピューティング装置が支払識別コードと配送先住所についての要求を流通者にコンピューティング装置へ送信する最初のステップを含んでよい。支払識別コードと配送先住所についてのその要求は販売者と支払金額とを識別する支払情報を含む。この場合、流通者のコンピューティング装置は要求を支払代理人へ転送してよい。
【００１１】
トランザクションの販売者側からのこの第１の通信は、プル支払についての要求であってよいし、そうでなくてもよい。例えば要求はプル支払の正式要求であってよい。代替的に販売者又は流通者は単に、プル支払を要求せずに、支払識別コードを支払代理人から要求してよい。代わりに支払代理人がトランザクションを調整するために、販売者及び／又は流通者は販売者識別子と支払金額と選択的には流通者の識別子とを含む支払情報を提供してよい。これにより支払代理人は、この情報を後に消費者へ提供することができる。このため消費者は支払を決済し承認する。次いでこれによってプッシュ支払が消費者によって指示される。というのも、支払金額と販売者（及び選択的には流通者）とが識別されるからである。
【００１２】
次に本方法は(iii)支払代理人のコンピューティング装置が支払情報と関連付けられる支払識別コードを生成するステップを含む。支払識別コードは一意であるので、支払を明確に識別させる。支払代理人のコンピューティング装置が、支払識別コードを、関連付けられた支払情報と、配送先住所が収集されることの標示と共に格納する。支払代理人のコンピューティング装置はまた、流通者の標示を格納する。この標示は選択的には、トランザクションと関連付けられた支払が流通者又は販売者に対してなされるべきであるか否かについての標示を含む。支払代理人のコンピューティング装置はまた、支払識別コードを流通者のコンピューティング装置及び／又は販売者のコンピューティング装置へ（直接又は間接的に、例えば流通者のコンピューティング装置を介して）提供してよい。したがって販売者又は流通者は現在、消費者へ提供されるトランザクションを識別する一意のコードを保有する。したがって消費者は支払代理人へのトランザクションを独立して識別することができる。
【００１３】
本方法は更に、(iv)流通者のコンピューティング装置が消費者に支払識別コードを（直接的に又は販売者のコンピューティング装置を介して）提供するステップを含む。したがって本方法は更に、(v)消費者のコンピューティング装置が支払識別コードを受信するステップを含む。このコンピューティング装置は本方法のステップ(i)で注文を提出した消費者のコンピューティング装置と同一であってよい。代替的に、このコンピューティング装置は消費者の第２のコンピューティング装置であってよい。例えば消費者は第１のコンピュータ（例えばラップトップ又はデスクトップコンピュータ）を用いてオンラインで買い物してよい。しかし消費者は次いで、モバイルコンピューティング装置を用いてトランザクションを承認してよい。
【００１４】
本方法は更に、(vi)支払識別コードを受信した消費者のコンピューティング装置が金融機関のコンピューティング装置に支払識別コードを送信するステップを含む。金融機関は消費者からの支払を行うために消費者に関連付けられた金融機関である。本方法は更に、(vii)金融機関のコンピューティング装置が支払識別コードを支払代理人のコンピューティング装置に送信するステップを含む。選択的に、ステップ(vii)は、金融機関のコンピューティング装置が支払識別コードを消費者（ここから支払識別コードが受信される）の標示と共に格納するステップを含んでよい。
【００１５】
本方法のステップ(viii)にて支払識別コードを受信すると、支払代理人のコンピューティング装置は支払識別コードを用いて、支払識別コードに関連付けられた、以前に格納された支払情報を検索する。本方法は次いで、支払代理人のコンピューティング装置が支払識別コードに関連付けられた支払情報を金融機関のコンピューティング装置に送信するステップを含み、配送先住所が要求されることの標示が格納されたことに応答して、また、配送先住所の要求を金融機関のコンピューティング装置に送信することを含む。支払代理人のコンピューティング装置は、支払識別コードと配送先住所についての要求とに関連付けられた支払情報を、１つのメッセージ又は別々のメッセージとして送信してよい。支払情報は支払識別コードと共に又は支払識別コード無しに送信されてよい。
【００１６】
次の金融機関のコンピューティング装置は、受信された支払識別コードを用いて、消費者の識別子を検索してよい。金融機関のコンピューティング装置は、支払識別コードに関連付けられた支払情報の全て又は少なくともいくつかを格納してよい。これは、支払が流通者に又は販売者になされるか否かの標示を含んでよい。
【００１７】
本方法は更に、(ix)金融機関のコンピューティング装置が支払情報と支払識別コードと配送先住所の要求とを、支払識別コードを受信した消費者のコンピューティング装置に送信するステップを含む。次いで本方法は、(x)支払識別コードを受信した消費者のコンピューティング装置が、消費者による承認のために支払情報を表示するステップと、配送先住所についての要求を受信したことに応答して、消費者に配送先住所を選択するよう促すステップを含む。例えば消費者のコンピューティング装置は販売者識別子と支払金額とを表示してよい。選択的に、支払情報は購入される商品についての詳細（例えば各品目の短い説明、各品目の費用）を含んでよい。この場合、その情報もまた表示されてよい。
【００１８】
本方法は次いで、(xi)支払識別コードを受信した消費者のコンピューティング装置が、消費者から、承認と配送先住所の選択とを受信するステップを含む。次いで支払識別コードを受信した消費者のコンピューティング装置は、支払識別コードと選択された配送先住所の標示とを含む支払要求メッセージを金融機関のコンピューティング装置に送信する。この支払要求メッセージは、事実上、販売者及び／又は流通者によりなされる以前のフル支払要求の許可であってよいし、プッシュ支払を行う指示であってよい。
【００１９】
本方法は次いで、(xii)金融機関のコンピューティング装置が消費者から販売者への支払を（販売者に直接又は流通者を介して間接的に）調整するステップを含む。支払がどこへ行われるかは、支払が販売者又は流通者に対してなされるべきか否かの標示（ステップ(viii)にて以前に送信及び格納されたもの）によって判定されてよい。支払は予め同意された支払構成を介して、例えば英国のfaster  paymentとして有効化されてよい。本方法はまた、(xiii)販売者のコンピューティング装置が選択された配送先住所の標示を（販売者へ直接的に又は流通者を介して間接的に）受信するステップを含む。
【００２０】
本願発明は消費者が自身の住所を販売者へ通信する安全な方法を提供する。通常、配送先住所は支払が承認されるより前に、且つ、例えば消費者が考えを変えてトランザクションを辞退するより前に、提供されなくてはならない。配送先住所は消費者についての個人情報に対応する。よって、この個人情報が可能な限り安全に扱われることは有益である。
【００２１】
本願発明によれば、配送先住所は、消費者がトランザクションを承認するまで提供されない。よって、配送先住所は、消費者がトランザクションを承認した後まで渡されない。
【００２２】
安全性は更に向上する。というのも、配送先住所は販売者に対してではなく金融機関に対して提供されるからである。これにより、消費者の配送先住所を販売者に提供する前に、金融機関は販売者の真正性を確認することができる。更に、販売者の観点から、システムが向上される。というのも、販売者は金融機関によって住所の提供を受けるからであり、信頼された住所だからである。したがって本願発明の方法は従来技術の方法に対して更なる安全な層を提供する。
【００２３】
更に、配送先住所を提供する本方法によってもたらされる改良版の安全性は、トークン化されたトランザクションスキームによって提供される改良版の安全性を補強する。したがって本願発明はトークン化された支払トランザクションスキームにおいて提供される固有の安全性を追加する。これは、トークン化されたトランザクションスキームが消費者から販売者（又は流通者）へのプッシュ支払を調整するときに特に正しい。上記の通り、ステップ(ii)にて流通者又は販売者によってなされた支払識別コードについての最初の要求は、プル支払についての正式要求でなくてよい。消費者が自身の承認をステップ(xi)にて提供するとき、この承認は、プッシュ支払を行う指示であってよい。したがって配送先住所が渡され次いで販売者に提供されるのは、消費者がプッシュ支払を行う指示を提供したときのみである。
【００２４】
上記の方法は、販売者が支払識別コードを要求する状況を示す。しかし、本願発明はまた、消費者が支払識別コードを要求し次いで受信された支払識別コードを受領者へ渡す方法において実装されてよい。
【００２５】
したがって第２の態様によれば、本願発明は、消費者と販売者との間の注文を支援するコンピュータ実装方法を有する。本方法は次のステップを有する。
【００２６】
(a)消費者のコンピューティング装置を用いて、支払識別コードの要求を金融機関のコンピューティング装置へ送信するステップであって、前記金融機関は前記消費者からの支払を行う、前記支払者と関連付けられた金融機関である、ステップ。
【００２７】
(b)前記金融機関のコンピューティング装置が、前記支払識別コードの要求を、支払代理人のコンピューティング装置に送信するステップ。
【００２８】
(c)前記支払代理人のコンピューティング装置が応答して、明確に識別される前記支払を可能にする一意の支払識別コードを生成し、前記支払識別コードを、前記要求を行う金融機関の標示と共に格納し、前記支払識別コードを前記金融機関のコンピューティング装置に提供するステップ。
【００２９】
(d)前記金融機関のコンピューティング装置が、前記支払識別コードを、前記消費者のコンピューティング装置に送信するステップ。選択的に、金融機関のコンピューティング装置は支払識別コードを支払識別コードを要求した消費者の標示と共に格納してよい。
【００３０】
(e)前記消費者のコンピューティング装置が、前記販売者のコンピューティング装置へ注文を提出し、配送先住所を提供せずに前記支払識別コードを提供するステップ。
【００３１】
(f)流通者のコンピューティング装置が、前記支払代理人のコンピューティング装置にメッセージを送信するステップであって、前記流通者は前記販売者への支払を収集するために前記販売者に関連付けられ、前記要求は前記支払識別コードと前記販売者及び支払金額を識別する支払情報と、配送先住所の要求とを含む、ステップ。
【００３２】
(g)前記支払代理人のコンピューティング装置が、前記支払情報と配送先住所が取得されるべきであるとの標示とを前記関連付けられた支払識別コードと共に格納するステップと、前記支払情報と配送先住所の要求とを前記金融機関のコンピューティング装置へ送信するステップ。
【００３３】
支払識別コードが消費者と販売者との間で交換され、且つ、支払識別コードに関連付けられた支払情報は金融機関によって取得されたので、トランザクションにおけるこの段階は、本願発明の第１の態様のステップ(viii)の最後と類似の段階である。したがって下記のステップは本願発明の第１の態様についてのステップと同一であるので、共通のステップ番号(ix)から(xiii)までが使用される。
【００３４】
したがって第２の態様による本方法は更に、下記のステップを含む。
【００３５】
(ix)前記金融機関のコンピューティング装置が、前記支払情報と、前記支払識別コードと配送先住所の要求とを、前記支払識別コードを受信した前記消費者のコンピューティング装置へ送信するステップ。
【００３６】
(x)前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップ。
【００３７】
(xi)前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップ。
【００３８】
(xii)前記金融機関のコンピューティング装置が前記消費者から前記販売者への支払を、前記販売者に直接的に又は前記流通者を介して間接的に調整するステップ。
【００３９】
(xiii)前記販売者のコンピューティング装置が前記選択された配送先住所の前記標示を受信するステップ。
【００４０】
本願発明の第１の態様と第２の態様との両方に適用可能な更なる選択的特徴が開示される。
【００４１】
選択的に、前記金融機関のコンピューティング装置は前記販売者のコンピューティング装置によって受信される前記選択された配送先住所を識別するメッセージを送信する。前記選択された配送先住所を識別する前記メッセージは、前記金融機関のコンピューティング装置から前記販売者のコンピューティング装置へ、前記支払代理人のコンピューティング装置を介して又は選択的に前記流通者のコンピューティング装置を介して、送信されてよい。選択的に、前記選択された配送先住所を識別する前記メッセージは、前記支払識別コードを含む。これにより、支払代理人のコンピューティング装置及び／又は流通者のコンピューティング装置は、配送先住所が属するトランザクションを識別することができる。
【００４２】
前記消費者のコンピューティング装置が、前記支払識別コードと前記選択された配送先住所の標示とを含む支払要求メッセージを前記金融機関のコンピューティング装置に送信するとき、前記消費者のコンピューティング装置は、郵送用配送先住所、又は、前記金融機関のコンピューティング装置がメモリから前記消費者の郵送用配送先住所を検索することを可能にする識別コード、を含んでよい。後者の構成は、特に有用である。というのも消費者はもはや、自身の住所を、システム内の比較的安全でないリンク上で送信する必要が無いからである。
【００４３】
前記消費者のコンピューティング装置が前記消費者に配送先住所の選択を促すステップは、配送先住所を表示して前記消費者に前記表示された住所が使用されるべきことを確認するよう促すことを含んでよい。例えば本方法は、格納された既定の配送先住所を表示して、前記消費者に前記既定の配送先住所が使用されるべきことを確認するよう促すステップを含んでよい。代替的に、前記消費者のコンピューティング装置が前記消費者に配送先住所を選択するよう促すことは、複数の配送先住所を表示して、前記表示された配送先住所の１つを前記注文用の配送先住所として選択するよう前記消費者に促すことを含んでよい。
【図面の簡単な説明】
【００４４】
本願発明が一層容易に理解されるように、添付の図面を参照して、非限定目的のみで好適な実施形態が開示される。
【００４５】
【図１】図１はトークン化されたトランザクションについての、当事者の概念的表示である。
【図２】図２は従来技術のトークン化されたトランザクション中に送信されるメッセージの概念的表示である。
【図３】図３は本発明の実施形態によるトークン化されたトランザクションに参加する装置の概念的表示を示す。
【図４】図４は本願発明の実施形態によるトークン化されたトランザクション中に送信されるメッセージの概念的表示である。
【図５Ａ】図５Ａは図４のトークン化されたトランザクションにおけるステップの概念的表示である。
【図５Ｂ】図５Ｂは図４のトークン化されたトランザクションにおけるステップの概念的表示である。
【図６】図６は本発明の他の実施形態によるトークン化されたトランザクションに参加する装置の概念的表示を示す。
【図７】図７は本願発明の実施形態によるトークン化されたトランザクション中に送信されるメッセージの概念的表示である。
【図８Ａ】図８Ａは図７のトークン化されたトランザクションにおけるステップの概念的表示である。
【図８Ｂ】図８Ｂは図７のトークン化されたトランザクションにおけるステップの概念的表示である。
【発明を実施するための形態】
【００４６】
図１及び２は、既知の、トークン化された「プル」支払トランザクションスキームを示す。図１は、そのようなトークン化されたトランザクションに関わる当事者を示す。本実施形態では、消費者１０は販売者２０から商品又は役務を購入したい。消費者１０は関連銀行３０又は、消費者１０によってなされる支払を調整する他の金融機関を有する。販売者２０は、販売者２０に代わって支払を受領する関連流通者４０を有する。流通者４０は金融機関（例えば銀行）であってよいし、又は、金融機関（例えば流通者に代わってアカウントを取り扱う銀行）と関連付けられてよい。消費者１０と販売者２０との間には、信頼された第三者として行動する支払代理人５０も存在する。他の当事者（例えば他の中間体又は管理体）がこのスキーム中に存在してよい。
【００４７】
図１の矢印は、当事者が互いにどのように通信するかを概念的に示す。主に、消費者１０は自身の銀行３０と通信し、銀行３０は支払代理人５０と通信し、支払代理人５０は流通者４０と通信し、流通者４０は販売者２０と通信する。消費者１０及び販売者２０はまた、例えば消費者１０が販売者のウェブサイトで買い物中に、互いに直接通信してよい。消費者の銀行３０はまた、流通者４０と通信して、要求された支払を行ってよい。
【００４８】
図２はトランザクションが実行されるときに送信されるメッセージを示す。図２は消費者１０が買い物を完了し、支払を行いたい時点で開始する。これは、消費者１０が販売者のウェブサイト上での閲覧を完了し、「決済に進む」ときに対応してよい。第１のステップとして消費者１０が従来技術を用いて、トークン化された「プル支払」トランザクションスキームを行いたいとき、消費者１０はトークン（すなわち、支払コード）を、自身の銀行３０から要求する（参照符号２０１）。参照符号２０２にて消費者の銀行３０は支払コードについてのこの要求を支払代理人５０に転送する。参照符号２０３にて支払代理人５０は支払コードを生成し、支払コードを、消費者１０及び／又は銀行３０を識別する詳細と共に格納する。参照符号２０４にて支払代理人５０は支払コードを銀行３０に送信する。参照符号２０５にて銀行３０は支払コードを消費者１０へ転送する。
【００４９】
次いで参照符号２０６にて、消費者１０は、支払コードを販売者２０に提供する。これは、支払コードを、関連付けられたテキスト入力フィールド（これは販売者のウェブサイト上で提供される（例えば支払ページ上で提供される））にタイプすることによってなされてよい。それに応答して、販売者２０はプル支払要求を準備する。これは支払詳細（例えばトランザクション金額及び販売者２０の識別子）を含む。プル支払についてのこの要求は、参照符号２０７にて支払コードとともに流通者４０へ送信される。参照符号２０８にて流通者４０はプル支払要求（これは支払コードと支払詳細とを含む）を支払代理人５０へ送信する。参照符号２０９にて支払代理人５０は支払コードを調査して詳細（これは消費者１０及び／又は支払コードに関連付けられた銀行３０を識別する）を検索する。支払代理人５０は次いでプル支払要求（これは支払コードと支払詳細を含む）を参照符号２１０にて銀行３０へ送信する。次いで参照符号２１１にて銀行３０は支払詳細と支払コードとを消費者１０へ送信する。
【００５０】
消費者１０は次いで支払詳細（例えばトランザクション金額と支払を要求する販売者）を視認し、支払要求が真正であることが満たされると、参照符号２１２にて承認を銀行３０に送信してよい。銀行３０は要求されたプル支払がなされることを許可する。銀行３０は次いで、例えば消費者１０によって選択されたアカウントが十分な資金を有していることの確認がなされた後、トランザクションを別途承認してよい。銀行３０によって承認されると、銀行３０は参照符号２１３にて、支払が消費者１０に対して承認されたことの確認を送信し、参照符号２１４にて支払代理人５０に対して支払を受けることの指示を、流通者４０への転送のために送信する。参照符号２１５にて、支払代理人５０はその指示を流通者４０へ正しく転送してよい。
【００５１】
参照符号２１６にて、流通者４０は販売者２０に、支払が承認されたことの確認を送信する。このため、販売者２０は商品又は役務を渡してよい。参照符号２１７にて概念的に示されるように、流通者４０は次いで消費者の銀行３０から支払をプルしてよい。これは即座に実行されてよいし、支払は後に（例えば１日の最後に）受領されてよい。
【００５２】
図３は本発明が使用されるトークン化されたトランザクションに参加する装置の配置を示す。図３は概ね図１に対応するが、トークン化されたトランザクションに参加するコンピューティング装置を示す。本実施形態では消費者１０はモバイルコンピューティング装置３１０（例えばタブレット又はスマートフォン）上で買い物を行う。消費者１０は、販売者サーバ３２０によって提供される販売者ウェブサイト上で買い物をする。消費者銀行３０は銀行サーバ３３を有する。流通者４０は流通者サーバ３４０を有する。支払代理人５０は支払代理人サーバ３５０を有する。
【００５３】
図５Ａ及び５Ｂは本願発明の第１の実施形態のトークン化されたトランザクションスキームにて実行されるステップを示す。図４は本方法が実行されるときに送信されるメッセージを示す。
【００５４】
参照符号５０２にて消費者１０は、販売者ウェブサイト上で買い物を完了し、決済ウェブページへ進む。この決済ウェブページは流通者サーバ３４０によって提供される。支払の受領を可能にするために、販売者サーバ３２０はトランザクション詳細４０２を流通者サーバ３４０に提供する。トランザクション詳細は販売者識別子とトランザクション合計値と選択的には購入された品目の説明とを含む。この段階で、消費者１０は購入される商品又は役務につき、配送先住所を提供していない。したがって販売者サーバ３２０はまた、配送先住所についての要求を、流通者サーバ３４０に提供されるトランザクション詳細４０２に付加する。
【００５５】
実装されると、本願発明は決済ウェブページに「Pay  By  Bank  App（登録商標）」ボタンを提供する。これにより消費者１０は、自身が「Pay  By  Bank  App（登録商標）」のトークン化されたトランザクションスキームを用いて支払いたいことを示すことができる。もちろん本願発明は他のトークン化されたトランザクションスキームとともに使用されてよい。消費者１０はこのボタンを選択する。これにより本方法はステップ５０４に進む。
【００５６】
ステップ５０４にて流通者サーバ３４０はトランザクション詳細の全て又はいくつかを、支払代理人サーバ３５０へ、長い支払コード及び配送先住所の両方についての要求の一部として転送する（参照符号４０４）。長い支払コードについての要求は販売者２０によって開始されてよい。これは、流通者サーバ３４０によって転送される。よってこれは販売者が開始したトークン化されたトランザクションスキームである。というのも、支払代理人５０から支払コードを要求することによって、トークン化されたトランザクションを開始するのは、（流通者サーバ３４０を介する）販売者２０だからである。流通者サーバ３４０はトランザクション詳細を送信する。しかし、これは長い支払コードについての要求を伴うが、プル支払要求のときになされる支払要求ではない。
【００５７】
支払コードと配送先住所についての要求を受信すると（参照符号４０４）、支払代理人サーバ３５０は、販売者２０が支払代理人５０に登録されていることを確認することによって、要求を確認する（参照符号５０６）。もし販売者２０が成功裏に確認されれば、支払代理人５０は「Pay  By  Bank  App（登録商標）」支払を参照符号５０８にて生成する。すなわち、支払代理人５０は長い支払コードを生成し、それを、メッセージ４０４とともに送信されたトランザクション詳細と共にメモリに格納する。支払代理人サーバ３５０はまたフラグを格納し、配送先住所が要求されたことを示す。次にステップ５１０にて支払代理人サーバ３５０は長い支払コードを、メッセージ４１０として流通者サーバ３４０へ送信する。
【００５８】
流通者サーバ３４０は次いで、それが提供する決済ウェブページを介して、スクリプトを実行し、モバイル銀行アプリ（これは消費者のモバイル装置３１０上に格納される）を起動する（参照符号５１２）。代替的に、販売者２０はそのウェブサイトを介して銀行アプリを起動してよいし、もし消費者１０が販売者アプリを使用していれば、販売者アプリを介して起動してよい。流通者サーバ３４０（又は上記の通り販売者２０）は長い支払コードを銀行アプリへ送信する（参照符号５１２及び４１２）。ステップ５１４にて消費者１０は、要求されたときに、例えばPINを提供することによって銀行アプリへログオンする。ログオンした消費者１０は銀行アプリに銀行サーバ３３０へ長い支払コードを送信させ（参照符号４１４）、消費者１０がトークン化されたトランザクションスキームを用いて支払を行いたいという事実を銀行３０に警告する。
【００５９】
次いでステップ５１６にて、銀行サーバ３３０はメッセージ４１６（これは長い支払コードを含む）を生成し、支払代理人サーバ３４０に送信し、トランザクション詳細を要求する。ステップ５１８にて支払代理人サーバ３４０は要求を確認する（すなわち、要求が登録済み銀行からのものであることを確認する）。成功すれば、ステップ５２０にて、支払代理人サーバ３４０はPay  By  Bank  App（登録商標）支払を長い支払コード（それが識別子として受信したもの）を用いてメモリから識別し、トランザクション詳細を検索し、それらを銀行サーバ３３０へ送信する（メッセージ４２０によって示す）。支払代理人サーバ３４０はまた、ステップ５０８にて、配送先住所についての要求をメッセージ４２０に付加することによってメモリに格納されたフラグに応答する。銀行サーバ３３０は次いでトランザクション詳細と配送先住所４２２についての要求とを銀行アプリ（これは消費者のモバイル装置３１０上で駆動する）へ提供する（ステップ５２２）。
【００６０】
トランザクション詳細はステップ５２４にて消費者１０へ表示される。例えば販売者２０が識別されてよい。トランザクション金額が提供されてよい。
【００６１】
更に配送先住所はまた、消費者モバイル装置３１０によって表示される。消費者１０は例えばクッキーとして１以上の配送先住所を消費者モバイル装置３２０上のメモリに格納し、又は銀行サーバ３３０に格納する。もし配送先住所が銀行サーバ３３０に格納されれば、配送先住所はメッセージ４２０と共に消費者モバイル装置３１０へプッシュ支払される。代替的に、メッセージ４２０が受信されると消費者モバイル装置３２０によって配送先住所は銀行サーバ３３０からプルされてよい。消費者１０は、例えばユーザ制御要素（例えば表示された配送先住所の隣に位置する「確認」とラベル付けされた制御ボタン）を選択することによって、表示された配送先住所を選択する。
【００６２】
消費者１０は１より多い配送先住所を格納してよい。この場合全ての配送先住所は、消費者モバイル装置３２０によって表示されてよい。このため消費者１０は１つを選択してよい。代替的に、既定の格納された配送先住所は、「代替アドレス」又はその類似物とラベル付けされたユーザ制御要素と共に表示されてよい。このため、選択されると、消費者モバイル装置３２０は次いで全ての格納された配送先住所を表示する。これにより消費者１０は１つを選択してよい。
【００６３】
消費者１０が格納された配送先住所の１つ以外の住所を使用する選択肢が提供されてよい。例えば「住所を入力する」とラベル付けされたユーザ制御要素又は類似物が表示されてよい。選択されると、このユーザ制御要素により消費者モバイル装置３２０は次の入力フィールドを表示して、消費者１０が配送先住所を入力することを可能にする。一旦入力されると、消費者モバイル装置３２０は新たな配送先住所を格納する機会を消費者１０に与えてよい。
【００６４】
配送先住所を選択することと共に、消費者１０はトランザクションを承認してよい。このため承認メッセージ４２６はステップ５２６にて銀行サーバ３３０に送信される。承認メッセージ４２６はまた、トランザクション詳細と長い支払コードとを、配送先住所の確認と共に、含む。配送先住所の確認は、全体の住所又は識別子を含んでよく、これにより銀行サーバは住所（例えば識別コード）を識別することができる。もし消費者１０がトランザクションを拒否すれば、消費者モバイル装置３１０は拒否メッセージを銀行サーバ３３０に送信する。
【００６５】
トランザクションが消費者１０によって承認されることを想定して、銀行サーバ３３０はこれを権限者として行い、トランザクション詳細において識別される販売者２０に対するプッシュ支払を調整する。銀行サーバ３３０は次いで、トランザクション詳細において特定されたトランザクション金額以上の十分な資金が利用可能であることを確認することによって、自身の承認を実行する。もし銀行サーバ３３０がトランザクションを承認できれば、銀行サーバ３３０はトランザクション金額（これは金額と、トランザクション詳細に含まれる販売者識別子とを含む）を用いてプッシュ支払４３０をステップ５３０にて生成する。プッシュ支払は効果的に資金を消費者の銀行アカウントから販売者のアカウント（これは流通者４０によって保持される）へプッシュする。販売者アカウントは、トランザクション詳細に含まれる販売者識別子から、直接的又は間接的に（例えば参照テーブルを介して）判定されてよい。
【００６６】
参照符号５３２にて銀行サーバ３３０は支払確認４３２を生成して支払代理人サーバ３４０へ、配送先住所と共に送信する（又は消費者１０がステップ５２８にてトランザクションを拒否したときは拒否通知を送信する）。これは消費者モバイル装置３２０から受信されたメッセージ４２０から直接に実行されてよいし、もしメッセージ４２０が識別子を含めば、銀行サーバ３３０は識別子を用いて、関連付けられた配送先住所を検索して、その住所をメッセージ４３２の一部として提供してよい。この支払確認４３２はまた、長い支払コードとトランザクション詳細とを含む。
【００６７】
支払代理人サーバ３４０は、銀行２０が確認４３２を送信することを確認することと、それが有効な長い支払コードを伝送することを確認することとによって、支払確認をステップ５３４にて確認する。選択的に、支払承認代理人サーバ３４０は、承認を生成し、銀行サーバ３３０へ送信してよい。支払代理人サーバ３４０は次いで支払確認を生成し、流通者サーバ３４０へ送信してよく、配送先住所を流通者サーバ３４０へメッセージ４３６として提供する（ステップ５３６）。支払確認４３６は、長い支払コードとトランザクション詳細との両方を含む。
【００６８】
今度は、流通者サーバ３４０は、支払確認を送信し、販売者２０への表示のために配送先住所を販売者サーバ３２０へメッセージ４４０として送信する。このため販売者２０は承認されれば購入を実現することができるし、又は、拒否されればトランザクションを無効にすることができる（参照符号５４０）。販売者２０は、トランザクション詳細に含まれる販売者識別子によって識別されてよい。販売者サーバ３２０は、メッセージ４４２を流通者サーバ３４０にステップ５４２にて送信することによって確認４４０を承認する。流通者サーバ３４０は確認４４４を支払代理人サーバ３５０へ返す（ステップ５４４）。
【００６９】
選択的に、流通者サーバ３４０は支払確認を送信し、銀行アプリ上で消費者１０に表示するために、配送先住所を消費者モバイル装置３２０に提供してよい。このメッセージ４４６は銀行サーバ３３０を介して送信されてよい。銀行アプリは販売者２０とトランザクション金額と配送先住所とメッセージとを表示してよく、トランザクションがなされたこと又はトランザクションが無効にされたことを確認してよい。このステップ５４６ではまた、消費者モバイル装置３１０上で流通者サーバ３４０によって提供されたウェブページがリフレッシュされ、支払成功確認（又はトランザクションが拒否されたことの通知）を表示してよいし、また、販売者サーバ３２０によって提供されたウェブページへリダイレクトして戻ってよい。そのウェブページは、トランザクションが承認又は拒否されたことを確認してよいし、購入された品目が配送へ渡されたこと（又は購入された役務が提供されること）を確認してよい。ステップ５４８にて消費者１０は次いで、モバイル銀行アプリからログアウトする。
【００７０】
もし配送先住所が当初に消費者１０によって提供されると（例えばステップ５０２又はそれより前に）、本方法は上記のとおりに継続してよいが、配送先住所を収集することについての詳細処理はいずれも存在しない。例えば上記の配送先住所の要求は、消費者１０によって既に提供された配送先住所によって置き換えられてよい。住所は、消費者が再度選択するために消費者１０へ表示される必要はない。代替的に、住所詳細が交換される必要はない。
【００７１】
図６は本発明の第２の実施形態による、トークン化されたトランザクションに参加する装置の配置を示す。図６は概ね図３に対応する。しかし、本実施形態では消費者１０は販売者サーバ６２０によって提供される販売者ウェブサイト上で、第１のコンピューティング装置６１２（例えばデスクトップコンピュータ又はラップトップコンピュータ）を用いて買い物する。消費者のコンピューティング装置６１２はモバイルコンピューティング装置であってよいし、そうでなくてもよい。しかし、消費者１０は第２のコンピューティング装置を有してよい。これは、本実施形態では、モバイル装置６１０（例えばタブレット又はスマートフォン）であり、トークン化されたトランザクションを承認するのに使用される。
【００７２】
図８Ａ及び８Ｂは本願発明の第２の実施形態のトークン化されたトランザクションスキームにて実行されるステップを示す。図７は本方法中に送信されるメッセージを示す。図７及び８は、図４及び５に概ね対応する。ステップ８０２乃至８１０とメッセージ７０２乃至７１２が、ステップ５０２乃至５１０とメッセージ５０２乃至５１２にそれぞれ対応するので、再度詳細には説明されない。本実施形態では消費者１０は消費者コンピューティング装置６１２によって提供されるウェブブラウザを用いて買い物をし、この装置６１２を用いて流通者サーバ６４０によって提供される決済ウェブページに進む。上記の通り、消費者１０は配送先住所を提供していない。
【００７３】
ステップ７１２にて流通者サーバ３４０はウェブブラウザによって表示される決済ウェブページを更新し、短い支払コード（これは流通者サーバ６４０によって要求され支払代理人サーバ６５０によって提供されたものである）を表示する。
【００７４】
ステップ８０７にて消費者１０は消費者モバイル装置６１０上に銀行アプリを起動し、次いでステップ８０９にて銀行アプリにログオンする。銀行アプリは次いで消費者１０によって使用され、Pay  By  Bank  App（登録商標）支払が要求されたことを示してよい。これにより銀行アプリは消費者１０に、短い支払コードを入力するよう促す（参照符号７１３及び８１４に示す）。
【００７５】
上記の通り、短い支払コードが本実施形態で使用される。というのも消費者１０はこの支払コードを手入力しなければならない（第１の実施形態で使用される長い支払コードと対比される）。短いコードを使用することは比較的安全でないことが理解されるが、手作業でコードを入力しなければならない消費者１０に煩わしい要求を行わないし、消費者１０が誤って支払コードをタイプするリスクを低減する。短い支払コード及び／又は長い支払コードはアルファベットと数字の組み合わせでよいし、アルファベットでよいし、数字でよい。短い支払コードを入力することは、消費者モバイル装置６１０に、短い支払コードを銀行サーバ６３０に送信させる（参照符号７１４）。
【００７６】
本方法の残りは、第１の実施形態につき上記で説明されたものと同一の方法で継続する。よってここでは短い要約だけが提供される。ステップ８１６にて、銀行サーバ６３０はメッセージ７１６を生成及び送信し、トランザクション詳細を取得する。
【００７７】
ステップ８２０にて支払代理人サーバ６５０は短い支払コードを用いて、受信したトランザクション詳細を検索し、それを銀行サーバ６３０へ送信する。支払代理人サーバ３４０はまた、ステップ８０８にて、配送先住所についての要求をメッセージ７２０に付加することによってメモリに格納されたフラグに応答する。銀行サーバ６３０は次いでトランザクション詳細と配送先住所７２２についての要求とを銀行アプリ（これは消費者のモバイル装置６１０上で駆動する）へ提供する（ステップ８２２）。
【００７８】
トランザクション詳細はステップ８２４にて、消費者１０による承認又は拒否のために、消費者モバイル装置上で消費者１０へ表示される。更に配送先住所はまた、図５のステップ５２４に関して上記されたように表示される。ステップ５２４に関して記載された全ての選択肢がステップ８２４にて使用されてよい。
【００７９】
トランザクションが承認されると、銀行サーバ６３０はこれを権限者として行い、トランザクション詳細において識別される販売者２０に対するプッシュ支払を調整する。参照符号８３２にて銀行サーバは支払確認７３２を生成して支払代理人サーバ６４０へ、配送先住所と共に送信する（又は消費者１０がトランザクションを拒否したときは拒否通知を送信する）。これは消費者モバイル装置３２０から受信されたメッセージ７２６から直接に実行されてよいし、もしメッセージ７２６が識別子を含めば、銀行サーバ３３０は識別子を用いて、関連付けられた配送先住所を検索して、その住所をメッセージ７３２の一部として提供してよい。
【００８０】
支払代理人サーバ６４０はステップ８３４にて支払確認８３４を生成及び送信してよく、配送先住所を流通者サーバ６４０へメッセージ７３６として提供する（ステップ８３６）。第１の実施形態とは対照的に、支払承認代理人サーバ６４０は、承認７３８を生成し、銀行サーバ６３０へ送信してよい（ステップ８３８）。支払確認７３８は、短い支払コードとトランザクション詳細とを含む。このステップ８３８は選択的であり、省略されてよい。
【００８１】
今度は、流通者サーバ６４０は、支払確認を送信し、販売者２０への表示のために配送先住所を販売者サーバ６２０へメッセージ７４０として送信する。このためそれらは購入を実現することができる。流通者サーバ３４０は確認７４４を支払代理人サーバ６５０へ返す（ステップ８４４）。更にステップ８４６にて流通者サーバ６４０は確認７４６を、ウェブブラウザを介して消費者１０に表示するために、消費者コンピューティング装置６１２に送信する。このステップ８４６では、流通者サーバ６４０によって提供されたウェブページがリフレッシュされ、支払成功確認（又はトランザクションが拒否されたことの通知）を表示してよいし、また、販売者サーバ６２０によって提供されたウェブページへリダイレクトして戻ってよい。そのウェブページはまた、トランザクションが承認又は拒否されたことを確認してよいし、購入された品目が配送へ渡されたことを確認してよいし、配送先住所を示してよい。
【００８２】
支払代理人サーバ６５０が確認７３８を銀行サーバ６３０に送信するとき、銀行サーバ６３０は次いで確認を支払確認７３９として転送する。これは、消費者モバイル装置６１０上で駆動する銀行アプリによって受信される。ステップ８４６にて銀行アプリは販売者とトランザクション金額と選択的に配送先住所とを、メッセージと共に表示し、トランザクションがなされたこと又はトランザクションが無効にされたことを確認してよい。ステップ８４８にて消費者１０は次いで、モバイル銀行アプリからログアウトする。
【００８３】
当業者は、特許請求の範囲によって定義される本発明の範囲から逸脱すること無く上記実施形態に対して変形がなされてよいことを理解する。
【００８４】
例えば図１、３及び６は、トランザクションが５つの参加者（すなわち、消費者１０、販売者２０、銀行３０、流通者４０及び支払代理人５０）に関わることを示す。しかし、トランザクションはこれより多い又は少ない参加者に関わってよい。
【００８５】
一層少ない参加者が関わってよいが、このとき１つの参加者はトランザクション内で１より多い役割を有してよい。例えば銀行３０はまた、流通者４０として動作してよい。このとき例えば、銀行３０は消費者１０と販売者２０との両方によって保持されるアカウントを管理する責任を有する。代替的に、銀行３０は支払代理人５０として動作してよい。更に販売者２０又は消費者１０が銀行３０であってよい。一例として消費者１０はトークン化されたトランザクションスキームを用いて支払を調整し、自身の銀行３０によって提供されたクレジットカードに関するクレジットカード請求書を支払いたい。この例では銀行３０はまた、販売者２０として動作し、多くの場合に流通者４０として動作する。参加者がトランザクションにおいて１より多い役割を採用するとき、上記のトランザクションスキームがどのように適用されるかは容易に自明である。メッセージが当事者間で送信されるが役割が共通の参加者によって提供されるとき、そのメッセージが送信される必要は無いし、承認が返される必要も無い。他の参加者が、単一の参加者によって提供される役割間に存在してよい。このときメッセージは単にその２つの参加者間で前後に送信されてよい。これは、銀行３０がまた流通者４０の役割を実現するときに正しい。このためメッセージは支払代理人５０について前後に送信されてよい。
【００８６】
一層多い数の参加者がトランザクションに関わってよい。販売者は１よりも多い当事者を含んでよい。例えば販売者は異なる商人につき「市場（マーケットプレイス）」ウェブサイトを提供して、それらの商品及び／又は役務を提示してよい。すなわち、支払は次いで商人に対し直接的に有効となり、流通者はその販売者ではなくその商人に関連してよい。また、流通者４０は関連付けられた金融機関（例えば銀行）又は、その流通者のアカウントを扱う建築組合を有してよい。他の中間者が関わってよい。これらの中間者は単にトランザクション中に送信されたメッセージを転送してよいし、メッセージ上でなんらかの動作（例えば確認を実行すること、又は、更なる情報をメッセージに付加すること）を実行した後にメッセージを転送してよい。この状況で、転送は、上記の記載及び特許請求の範囲で開示されたメッセージに含まれたものと同一の情報を含む新たなメッセージを送信することを含んでよい。中間者は、規制目的又は会計目的でメッセージの複製を格納してよいし、メッセージから情報を抽出してよい。また他の関心のある当事者が、トランザクションに関する情報を受信してよい。例えば他の関心のある当事者は、トランザクション中に送信されたメッセージを複製してよいし、又は、トランザクションに関する情報の送信を受けてよい。これらの関心のある当事者は承認を返してよい。
【図１】
2019519861.tif 000003
【図２】
2019519861.tif 000004
【図３】
2019519861.tif 000005
【図４】
2019519861.tif 000006
【図５Ａ】
2019519861.tif 000007
【図５Ｂ】
2019519861.tif 000008
【図６】
2019519861.tif 000009
【図７】
2019519861.tif 000010
【図８Ａ】
2019519861.tif 000011
【図８Ｂ】
2019519861.tif 000012
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
消費者と販売者との間の注文を支援するコンピュータ実装方法であって、当該方法は、
(i)前記消費者のコンピューティング装置が、配送先住所を提供することなく前記販売者のコンピューティング装置へ注文を提出するステップと、
(ii)流通者のコンピューティング装置が、支払識別コードと配送先住所との要求を支払代理人のコンピューティング装置へ送信するステップであって、前記流通者は前記販売者への支払を収集するために前記販売者に関連付けられ、前記要求は前記販売者と支払金額とを識別する支払情報を含む、ステップと、
(iii)前記支払代理人のコンピューティング装置が、明確に識別される前記支払を可能にする一意の前記支払情報と関連付けられた支払識別コードを生成し、前記支払識別コードを、前記関連付けられた支払情報と、配送先住所が収集されるべきという標示と共に格納するステップと、前記支払識別コードを前記流通者のコンピューティング装置に提供するステップと、
(iv)前記流通者のコンピューティング装置が、前記消費者に前記支払識別コードを、直接的に又は前記販売者のコンピューティング装置を介して提供するステップと、
(v)前記消費者のコンピューティング装置が、前記支払識別コードを受信するステップと、
(vi)前記支払識別コードを受信した前記消費者のコンピューティング装置が、前記支払識別コードを金融機関のコンピューティング装置へ送信するステップであって、前記金融機関は前記消費者からの支払を行う、前記消費者と関連付けられた金融機関である、ステップと、
(vii)前記金融機関のコンピューティング装置が、前記支払識別コードを、前記支払代理人のコンピューティング装置に送信するステップと、
(viii)前記支払代理人のコンピューティング装置が、前記支払識別コードを受信して、前記支払識別コードを用いて、前記支払識別コードに関連付けられた、前記格納された支払情報を検索するステップと、前記支払識別コードに関連付けられた前記支払情報を前記金融機関のコンピューティング装置に送信するステップと、配送先住所が要求されることの標示が格納されたことに応答して、配送先住所の要求を前記金融機関のコンピューティング装置に送信するステップと、
(ix)前記金融機関のコンピューティング装置が、前記支払情報と、前記支払識別コードと、配送先住所の要求とを、前記支払識別コードを受信した前記消費者のコンピューティング装置へ送信するステップと、
(x)前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップと、
(xi)前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップと、
(xii)前記金融機関のコンピューティング装置が前記消費者から前記販売者への支払を、前記販売者に直接的に又は前記流通者を介して間接的に調整するステップと、
(xiii)前記販売者のコンピューティング装置が前記選択された配送先住所の前記標示を受信するステップと、を含むコンピュータ実装方法。
【請求項２】
消費者と販売者との間の注文を支援するコンピュータ実装方法であって、当該方法は、
(a)消費者のコンピューティング装置を用いて、支払識別コードの要求を金融機関のコンピューティング装置へ送信するステップであって、前記金融機関は前記消費者からの支払を行う、前記支払者と関連付けられた金融機関である、ステップと、
(b)前記金融機関のコンピューティング装置が、前記支払識別コードの要求を、支払代理人のコンピューティング装置に送信するステップと、
(c)前記支払代理人のコンピューティング装置が応答して、明確に識別される前記支払を可能にする一意の支払識別コードを生成し、前記支払識別コードを、前記要求を行う金融機関の標示と共に格納し、前記支払識別コードを前記金融機関のコンピューティング装置に提供するステップと、
(d)前記金融機関のコンピューティング装置が、前記支払識別コードを、前記消費者のコンピューティング装置に送信するステップと、
(e)前記消費者のコンピューティング装置が、前記販売者のコンピューティング装置へ注文を提出し、配送先住所を提供せずに前記支払識別コードを提供するステップと、
(f)流通者のコンピューティング装置が、前記支払代理人のコンピューティング装置にメッセージを送信するステップであって、前記流通者は前記販売者への支払を収集するために前記販売者に関連付けられ、前記要求は前記支払識別コードと前記販売者及び支払金額を識別する支払情報と、配送先住所の要求とを含む、ステップと、
(g)前記支払代理人のコンピューティング装置が、前記支払情報と配送先住所が取得されるべきであるとの標示とを前記関連付けられた支払識別コードと共に格納するステップと、前記支払情報と配送先住所の要求とを前記金融機関のコンピューティング装置へ送信するステップと、
(ix)前記金融機関のコンピューティング装置が、前記支払情報と、前記支払識別コードと配送先住所の要求とを、前記支払識別コードを受信した前記消費者のコンピューティング装置へ送信するステップと、
(x)前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップと、
(xi)前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップと、
(xii)前記金融機関のコンピューティング装置が前記消費者から前記販売者への支払を、前記販売者に直接的に又は前記流通者を介して間接的に調整するステップと、
(xiii)前記販売者のコンピューティング装置が前記選択された配送先住所の前記標示を受信するステップと、を含むコンピュータ実装方法。
【請求項３】
請求項１又は２に記載のコンピュータ実装方法において、前記金融機関のコンピューティング装置は前記販売者のコンピューティング装置によって受信される前記選択された配送先住所を識別するメッセージを送信する、コンピュータ実装方法。
【請求項４】
請求項３に記載のコンピュータ実装方法において、前記選択された配送先住所を識別する前記メッセージは、前記金融機関のコンピューティング装置から前記販売者のコンピューティング装置へ、前記支払代理人のコンピューティング装置を介して又は選択的に前記流通者のコンピューティング装置を介して、送信される、コンピュータ実装方法。
【請求項５】
請求項３又は４に記載のコンピュータ実装方法において、前記選択された配送先住所を識別する前記メッセージは、前記支払識別コードを含む、コンピュータ実装方法。
【請求項６】
先行する請求項のいずれか１項に記載のコンピュータ実装方法において、前記消費者のコンピューティング装置が、前記支払識別コードと前記選択された配送先住所の標示とを含む支払要求メッセージを前記金融機関のコンピューティング装置に送信するステップは、郵送用配送先住所、又は、前記金融機関のコンピューティング装置がメモリから前記消費者の郵送用配送先住所を検索することを可能にする識別コード、を含むことを含むコンピュータ実装方法。
【請求項７】
先行する請求項のいずれか１項に記載のコンピュータ実装方法において、前記消費者のコンピューティング装置が前記消費者に配送先住所の選択を促すステップは、配送先住所を表示して前記消費者に前記表示された住所が使用されるべきことを確認するよう促すことを含む、コンピュータ実装方法。
【請求項８】
請求項７に記載のコンピュータ実装方法において、格納された既定の配送先住所を表示して、前記消費者に前記既定の配送先住所が使用されるべきことを確認するよう促すステップを含む、コンピュータ実装方法。
【請求項９】
先行する請求項のいずれか１項に記載のコンピュータ実装方法において、前記消費者のコンピューティング装置が前記消費者に配送先住所を選択するよう促すことは、複数の配送先住所を表示して、前記表示された配送先住所の１つを前記注文用の配送先住所として選択するよう前記消費者に促すことを含む、コンピュータ実装方法。
【請求項１０】
先行する請求項のいずれか１項に記載の方法を実行するようプログラムされたコンピュータシステム。
【請求項１１】
１以上のコンピュータプログラムのセットであって、実行されると、請求項１乃至９のいずれか１項に記載の方法をコンピュータシステムに実行させる、セット。
【請求項１２】
請求項１１に記載の１以上のコンピュータプログラムのセットを格納したコンピュータプログラム製品。
【請求項１３】
添付図面のいずれかを参照して実質的に本願に記載された方法。
【請求項１４】
添付図面のいずれかを参照して実質的に本願に記載されたコンピュータシステム。
【請求項１５】
消費者と販売者との間の注文を支援するコンピュータ実装方法であって、消費者コンピューティング装置における当該方法は、
配送先住所を提供することなく前記販売者に関連付けられた販売者コンピューティング装置へ注文を提出するステップと、
前記販売者コンピューティング装置から直接的に、又は、流通者のコンピューティング装置を介して、支払識別コードを受信するステップであって、前記流通者は前記販売者への支払を収集するために前記販売者に関連付けられ、前記支払識別コードは一意であり、支払情報が明確に識別されることを可能にする、ステップと、
前記支払識別コードを金融機関のコンピューティング装置へ送信するステップであって、前記金融機関は前記消費者からの支払を行う、前記消費者と関連付けられた金融機関である、ステップと、
前記金融機関から配送先住所の要求と前記支払識別コードと支払情報とを受信するステップであって、前記支払情報は前記販売者と支払金額とを識別するステップと、
配送先住所の要求と支払識別コードと支払情報とを、前記消費者による承認のために表示するステップと、
前記消費者から、支払承認と前記配送先住所の選択とを受信するステップと、
支払要求メッセージと前記選択された配送先住所とを前記金融機関に送信して、前記金融機関が支払を、前記販売者に直接的に、又は、流通者を介して間接的に調整するステップと、
を含む方法。
【請求項１６】
消費者と販売者との間の注文を支援する、流通者コンピューティング装置におけるコンピュータ実装方法であって、流通者は前記販売者への支払を収集するために前記販売者に関連付けられ、前記方法は、
支払識別コードと配送先住所との要求を支払代理人コンピューティング装置へ送信するステップであって、前記要求は前記販売者と支払金額とを識別する支払情報を含む、ステップと、
前記支払代理人から前記支払識別コードを受信するステップであって、前記支払情報と関連付けられた前記支払識別コードは一意であり支払を明確に識別させる、ステップと、
前記消費者に前記支払識別コードを、直接的に又は前記販売者と関連付けられた販売者コンピューティング装置を介して提供するステップと、
金融機関による調整により前記消費者から前記販売者に支払うステップであって、前記金融機関は前記消費者からの支払を行う、前記消費者と関連付けられた金融機関である、ステップと、
を含む方法。
【請求項１７】
消費者と販売者との間の注文を支援するコンピュータ実装方法であって、販売者コンピューティング装置における当該方法は、
前記消費者に関連付けられた消費者コンピューティング装置から注文を受信するステップであって、前記注文は配送先住所を含まない、ステップと、
前記販売者への支払を収集するために前記販売者に関連付けられた流通者へ、配送先住所と支払識別コードとの要求を送信するステップであって、前記要求は前記販売者と支払金額とを識別する、ステップと、
前記消費者に、前記流通者のコンピューティング装置からの前記支払識別コードを提供するステップであって、前記支払識別コードは一意であり支払を明確に識別させる、ステップと、
金融機関によって調整された支払を、直接的に又は前記流通者を介して間接的に受領するステップであって、前記金融機関は前記消費者からの支払を行う、前記消費者と関連付けられた金融機関である、ステップと、
選択された配送先住所の標示を受信するステップと、
を含む方法。
【請求項１８】
消費者と販売者との間の注文を支援するコンピュータ実装方法であって、支払代理人における当該方法は、
前記販売者への支払を収集するために販売者に関連付けられた流通者から、支払識別コードと配送先住所との要求を受信するステップであって、前記要求は前記販売者と支払金額とを識別する支払情報を含む、ステップと、
前記支払情報と関連付けられる支払識別コードを生成するステップであって、前記支払識別コードは一意であり、支払を明確に識別させる、ステップと、
前記支払識別コードを、前記関連付けられた支払情報と、配送先住所が収集されることの標示と共に格納するステップと、
前記支払識別コードを前記流通者のコンピューティング装置に提供するステップと、
前記支払識別コードを金融機関から受信するステップであって、前記金融機関は前記消費者からの支払を行う、前記消費者に関連付けられた金融機関である、ステップと、
前記支払識別コードを用いて、前記支払識別コードに関連付けられた、以前に格納された支払情報を検索するステップと、
前記支払識別コードに関連付けられた前記支払情報と配送先住所の要求とを前記金融機関のコンピューティング装置に送信するステップとを含み、
前記金融機関は、前記販売者に直接的に又は前記流通者を介して間接的に、支払を調整する、方法。
【請求項１９】
消費者と販売者との間の注文を支援する、金融機関におけるコンピュータ実装方法であって、前記金融機関は前記消費者からの支払を行う、前記消費者に関連付けられた金融機関であり、
消費者コンピューティング装置から支払識別コードを受信するステップであって、前記支払識別コードは一意であり支払情報を明確に識別させる、ステップと、
前記支払識別コードを、支払代理人のコンピューティング装置に送信するステップと、
配送先住所の要求と支払情報とを受信するステップであって、前記支払情報は前記販売者の識別情報と支払金額とを含む、ステップと、
前記支払情報と前記支払識別コードと配送先住所の要求とを前記消費者のコンピューティング装置に送信するステップと、
前記支払識別コードと選択された配送先住所の標示とを含む支払要求メッセージを前記消費者コンピューティング装置から受信するステップと、
前記消費者から前記販売者への支払を、前記販売者に直接的に、又は、前記販売者への支払を収集するために前記販売者に関連付けられた流通者を介して間接的に、調整するステップと、
を含む方法。
【手続補正２】
【補正対象書類名】明細書
【補正対象項目名】００８２
【補正方法】変更
【補正の内容】
【００８２】
支払代理人サーバ６５０が確認７３８を銀行サーバ６３０に送信するとき、銀行サーバ６３０は次いで確認を支払確認７３９として転送する。これは、消費者モバイル装置６１０上で駆動する銀行アプリによって受信される。ステップ８４６にて銀行アプリは販売者とトランザクション金額と選択的に配送先住所とを、メッセージと共に表示し、トランザクションがなされたこと又はトランザクションが無効にされたことを確認してよい。ステップ８４８にて消費者１０は次いで、モバイル銀行アプリからログアウトする。
いくつかの実施形態は下記のものを提供してよい。
プッシュ支払を用いて支払者と受領者との間のトランザクションを支援するコンピュータ実装方法であって、当該方法は、
(i)受領者に関連付けられたコンピューティング装置が、支払識別コードを支払代理人のコンピューティング装置へ送信するステップであって、支払コードの要求は、前記受領者と支払金額とを識別する支払情報を含む、ステップと、
(ii)前記支払代理人のコンピューティング装置が、明確に識別される前記支払を可能にするために一意である前記支払情報と関連付けられた支払識別コードを生成し、前記支払識別コードを、前記関連付けられた支払情報と共に格納し、前記支払識別コードを受領者に関連付けられたコンピューティング装置に提供するステップと、
(iii)受領者に関連付けられたコンピューティング装置が、前記支払識別コードを支払者に提供するステップと、
(iv)支払者のコンピューティング装置が、前記支払識別コードを受信するステップと、
(v)支払者のコンピューティング装置が、支払識別コードを金融機関のコンピューティング装置へ送信するステップであって、前記金融機関は前記消費者からの支払を行う、前記支払者と関連付けられた金融機関である、ステップと、
(vi)前記金融機関のコンピューティング装置が、前記支払識別コードを、前記支払代理人のコンピューティング装置に送信するステップと、
(vii)前記支払代理人のコンピューティング装置が、前記支払識別コードを受信して、前記支払識別コードを用いて前記支払識別コード関連付けられた、以前に格納された支払情報を検索するステップと、前記支払識別コードと関連付けられた前記支払情報を前記金融機関のコンピューティング装置に送信するステップと、
(viii)前記金融機関のコンピューティング装置が、前記支払情報と支払識別コードとを、前記支払者のコンピューティング装置に送信するステップと、
(ix)支払者のコンピューティング装置が、支払者による承認のために支払情報を表示するステップと、支払者から承認を受信するステップと、支払識別コードを含む支払要求メッセージを金融機関のコンピューティング装置に送信するステップと、
(x)前記金融機関のコンピューティング装置が、支払者から受領者へのプッシュ支払を調整するステップと、
を含む。
プッシュ支払を用いて支払者と受領者との間のトランザクションを支援するコンピュータ実装方法であって、当該方法は、
(a)支払者に関連付けられたコンピューティング装置が、支払識別コードの要求を金融機関のコンピューティング装置へ送信するステップであって、前記金融機関は前記支払者からの支払を行う、前記支払者と関連付けられた金融機関である、ステップと、
(b)前記金融機関のコンピューティング装置が、前記支払識別コードの要求を、支払代理人のコンピューティング装置に送信するステップと、
(c)前記支払代理人のコンピューティング装置が、明確に識別される前記支払を可能にするために一意である支払識別コードを生成し、前記支払識別コードを、前記要求を行う金融機関の標示と共に格納し、前記支払識別コードを前記金融機関のコンピューティング装置に提供するステップと、
(d)前記金融機関のコンピューティング装置が、前記支払識別コードを、前記支払者のコンピューティング装置に送信するステップと、
(e)支払者が受領者に支払識別コードを提供するステップと、
(f)受領者のコンピューティング装置が、前記支払識別コードを受信するステップと、
(g)前記受領者のコンピューティング装置が、前記支払識別コードと受領者及び支払金額を識別する識別情報とを、前記支払代理人のコンピューティング装置に送信するステップと、
(h)前記支払代理人のコンピューティング装置が、支払情報を支払識別コードと共に格納して、前記支払識別コードを用いて前記要求する金融機関につき以前に格納された標示を検索するステップと、前記支払識別コードと関連付けられた前記支払情報を前記金融機関のコンピューティング装置に送信するステップと、
(viii)前記金融機関のコンピューティング装置が、前記支払情報と支払識別コードとを、前記支払者のコンピューティング装置に送信するステップと、
(ix)支払者のコンピューティング装置が、支払者による承認のために支払情報を表示するステップと、支払者から承認を受信するステップと、支払識別コードを含む支払要求メッセージを金融機関のコンピューティング装置に送信するステップと、
(x)前記金融機関のコンピューティング装置が、支払者から受領者へのプッシュ支払を調整するステップとを含む。
受領者に関連付けられたコンピューティング装置は、受領者への支払を収集するために受領者に関連付けられた流通者のコンピューティング装置であってよく、選択的に、前記方法は更に、
(i)にて、支払代理人のコンピューティング装置への転送のために、受領者のコンピューティング装置が支払識別コードの要求を流通者のコンピューティング装置に転送することと、
(iii)にて、受領者に関連付けられたコンピューティング装置が、前記支払識別コードを受領者のコンピューティング装置を介して支払者に提供することを含んでよい。
ステップ(iv)は、支払者が支払者のコンピューティング装置に支払識別コードを手入力することであって、支払識別コードは６文字以下（選択的には４文字以下）のアルファベット及び数値のコードである、ことを含んでよい。
ステップ(iii)及び(iv)は、受領者に関連付けられたコンピューティング装置が、支払識別コードを受領者のコンピューティング装置に自動的に転送することを含み、前記コードは６文字以上のアルファベット及び数値のコードである。
ステップ(x)は前記金融機関のコンピューティング装置が、受領者への直接のプッシュ支払を調整すること、又は、流通者を介した受領者への間接のプッシュ支払を調整することを含む。
ステップ(viii)は更に、金融機関のコンピューティング装置が、格納済み支払識別コードを支払情報を用いて更新することを含み、それにより支払情報を支払識別コードと関連付ける。
ステップ(x)は更に、支払者のコンピューティング装置から受信された支払識別コードを用いて、以前に格納された支払情報を検索し、プッシュ支払を調整して支払金額を充足することを含んでよく、受領者と支払金額とは、金融機関のコンピューティング装置によって検索された支払情報から判定される。
ステップ(ix)は支払者のコンピューティング装置が、支払識別コードとトランザクション詳細とを含む支払要求メッセージを金融機関のコンピューティング装置に送信することを含んでよい。
ステップ(x)は更に、前記金融機関のコンピューティング装置が、支払者のコンピューティング装置から受信された支払情報において識別された支払者から受領者への直接のプッシュ支払を調整することを含んでよく、受信された支払情報において示された支払金額を充足することを含んでよい。
方法は更に、
(xi)支払確認メッセージを支払者のコンピューティング装置に送信するステップと、
(xii)支払者のコンピューティング装置が、支払が行われたことの確認を表示するステップとを含んでよい。
方法は更に、
(xiii)支払確認メッセージを受領者に関連付けられたコンピューティング装置に送信するステップを含んでよい。
方法は更に、
(xiii)支払確認メッセージを流通者のコンピューティング装置に送信するステップと、
(xiv)流通者のコンピューティング装置が、支払確認メッセージを受領者のコンピューティング装置に送信するステップと、
(xv)支払者のコンピューティング装置が、支払が行われたことの確認を表示するステップとを含んでよい。
ステップ(xiii)は前記金融機関のコンピューティング装置が、支払確認メッセージを、前記支払代理人のコンピューティング装置を介して、受領者に関連付けられたコンピューティング装置に送信することを含んでよい。
ステップ(ix)は更に、支払者のコンピューティング装置が、PIN、パスワード、又は支払者による生体入力を受信してトランザクションを承認することを含んでよい。
ステップ(ix)は支払者のコンピューティング装置が、支払者による承認のために支払情報を表示することと、支払者がPIN又はパスワードを入力することによって又は生体情報を入力することによって、トランザクションを承認することを含んでよい。
ステップ(ix)では、支払情報を受信した支払者のコンピューティング装置が、支払者のコンピューティング装置上で、支払者がアプリにログインすることを要求するアプリを起動し、支払者がアプリにログインするとそれに応答してアプリは支払者のコンピューティング装置に、支払者による承認のために支払情報を表示させる。支払者は、PIN若しくはパスワードを提供することによって、又は、生体情報を入力することによって、アプリにログインする。
支払者と受領者との間のトランザクションを支援するコンピュータ実装方法であって、当該方法は、
支払者が第１のコンピューティング装置上でウェブブラウザを用いて購入を行い、トークン化された支払トランザクションスキームを用いて支払を選択するステップと、
ウェブブラウザがリンクトークンを流通者のコンピューティング装置に提供することであって、流通者は受領者への支払を収集するために受領者に関連付けられる、ことと、
流通者のコンピューティング装置が、支払識別コードの要求を支払代理人のコンピューティング装置へ送信することであって、支払コードの要求は、受領者と支払金額とを識別する支払情報を含み、更にリンクトークンを含む、ことと、
支払代理人のコンピューティング装置が支払要求を受信し、それに応答して、(i)前記支払情報と関連付けられる支払識別コードを生成するステップであって、前記支払識別コードは一意であり、支払を明確に識別させる、ステップと、
(ii)前記支払識別コードを、前記関連付けられた支払情報と格納するステップと、
(iii)リンクトークンを用いて、支払者に関連付けられた第２のコンピューティング装置の格納済み連絡先詳細を検索するステップと、
(iv)支払が要求されたことの通知を支払者の第２のコンピューティング装置へ送信するステップであって、前記通知は支払識別コードを含む、ステップと、
支払者の第２のコンピューティング装置が、通知を受信し、それに応答して、支払が要求されたことのプロンプトを表示するステップと、
支払者の第２のコンピューティング装置が支払情報を受信し、支払者による承認のために支払情報を表示し、支払者から承認を受信し、支払識別コードを含む支払要求メッセージを金融機関のコンピューティング装置へ送信するステップであって、前記金融機関は前記支払者からの支払を行う、前記支払者と関連付けられた金融機関である、ステップと、
(x)前記金融機関のコンピューティング装置が、支払者から受領者への支払を調整するステップとを含む。
支払者と受領者との間のトランザクションを支援するコンピュータ実装方法であって、当該方法は、
支払者が第１のコンピューティング装置上でウェブブラウザを用いて購入を行い、トークン化された支払トランザクションスキームを用いて支払を選択するステップと、
支払代理人のコンピューティング装置にプロンプトを送信して、支払識別コードを、支払者の第１のコンピューティング装置に提供するステップと、
前記支払代理人のコンピューティング装置が、それに応答して、
(i)明確に識別される前記支払を可能にするために一意である支払識別コードを生成し、前記支払識別コードを格納し、前記支払識別コードを支払者の第１のコンピューティング装置に送信するステップと、
ウェブブラウザがリンクトークンと支払識別コードとを流通者のコンピューティング装置に提供し、流通者は受領者への支払を収集するために受領者に関連付けられる、ステップと、
流通者のコンピューティング装置が、支払識別コードを支払代理人のコンピューティング装置へ、リンクトークンと受領者及び支払金額を識別する支払情報と共に送信することと、
支払代理人のコンピューティング装置が支払識別コードとリンクトークンと支払情報とを受信し、それに応答して、
(ii)支払情報を、関連付けられた支払識別コードと共に格納するステップと、
(iii)リンクトークンを用いて、支払者に関連付けられた第２のコンピューティング装置の格納済み連絡先詳細を検索するステップと、
(iv)支払が要求されたことの通知を支払者の第２のコンピューティング装置へ送信するステップであって、前記通知は支払識別コードと支払情報とを含む、ステップと、
支払者の第２のコンピューティング装置が、通知を受信し、それに応答して、支払が要求されたことのプロンプトを表示するステップと、
支払者の第２のコンピューティング装置が支払情報を受信し、支払者による承認のために支払情報を表示し、支払者から承認を受信し、支払識別コードを含む支払要求メッセージを金融機関のコンピューティング装置へ送信するステップであって、前記金融機関は前記支払者からの支払を行う、前記支払者と関連付けられた金融機関である、ステップと、
前記金融機関のコンピューティング装置が、支払者から受領者への支払を調整するステップと、
を含む。
支払者の第２のコンピューティング装置が、支払が要求されたことのプロンプトを表示したことに応答して、支払者は支払者の第２のコンピューティング装置上でアプリにログインするステップであって、アプリは支払者の第２のコンピューティング装置に、支払識別コードを金融機関のコンピューティング装置に送信させてよい、ステップと、
前記金融機関のコンピューティング装置が、前記支払識別コードを、前記支払代理人のコンピューティング装置に送信するステップと、
前記支払代理人のコンピューティング装置が、前記支払識別コードを受信して、前記支払識別コードを用いて前記支払識別コード関連付けられた、以前に格納された支払情報を検索し、前記支払識別コードと関連付けられた前記支払情報を前記金融機関のコンピューティング装置に送信するステップと、
前記金融機関のコンピューティング装置が、前記支払情報と支払識別コードとを、前記支払者の第２のコンピューティング装置に送信し、支払者の第２のコンピューティング装置に支払情報を受信させるステップとを含む。
支払代理人のコンピューティング装置によって支払者の第２のコンピューティング装置に送信された通知は更に、支払情報を含み、それにより支払者の第２のコンピューティング装置に支払情報を受信させてよい。
支払者の第２のコンピューティング装置は、支払が要求されたことのプロンプトを表示してよく、プロンプトは支払情報を含む。前記金融機関のコンピューティング装置が、支払要求メッセージを受信したことに応答して、金融機関のコンピューティング装置は支払識別コードを前記支払代理人のコンピューティング装置に送信し、
前記支払代理人のコンピューティング装置が、前記支払識別コードを受信して、前記支払識別コードを用いて前記支払識別コード関連付けられた、以前に格納された支払情報を検索し、前記支払識別コードと関連付けられた前記支払情報を前記金融機関のコンピューティング装置に送信し、金融機関のコンピューティング装置が支払者から受領者への支払を調整し、
支払者の第２のコンピューティング装置から金融機関のコンピューティング装置へ送信された支払要求メッセージは支払情報を含んでよく、金融機関のコンピューティング装置は支払者から受領者への支払を調整してよい。
プッシュ支払を用いて支払者と受領者との間のトランザクションを支援するコンピュータ実装方法であって、当該方法は、
支払者が第１のコンピューティング装置上でウェブブラウザを用いて購入を行い、トークン化された支払トランザクションスキームを用いて支払を選択するステップと、
流通者のコンピューティング装置が、支払識別コードの要求を支払代理人のコンピューティング装置へ送信するステップであって、前記流通者は受領者への支払を収集するために受領者に関連付けられ、支払識別コードの要求は前記受領者と支払金額とを識別する支払情報を含む、ステップと、
前記支払代理人のコンピューティング装置が、明確に識別される前記支払を可能にするために一意である前記支払情報と関連付けられた支払識別コードを生成し、前記支払識別コードを、前記関連付けられた支払情報と共に格納し、前記支払識別コードを流通者のコンピューティング装置に提供するステップと、
前記流通者のコンピューティング装置が、前記支払者に前記支払識別コードを、直接的に又は前記受領者のコンピューティング装置を介して提供するステップと、
支払者の第１のコンピューティング装置が、前記支払識別コードを表示するステップと、
支払者の第２のコンピューティング装置が、前記支払識別コードを受信するステップと、
支払者の第２のコンピューティング装置が、支払識別コードを金融機関のコンピューティング装置へ送信するステップであって、前記金融機関は前記支払者からの支払を行う、前記支払者と関連付けられた金融機関である、ステップと、
前記金融機関のコンピューティング装置が、前記支払識別コードを、前記支払代理人のコンピューティング装置に送信するステップと、
支払代理人のコンピューティング装置が、前記支払識別コードを受信して、前記支払識別コードを用いて前記支払識別コードに関連付けられた、以前に格納された支払情報を検索し、前記支払識別コードに関連付けられた前記支払情報を前記金融機関のコンピューティング装置に送信するステップと、
前記金融機関のコンピューティング装置が、前記支払情報と支払識別コードとを、前記支払者の第２のコンピューティング装置に送信するステップと、
支払者の第２のコンピューティング装置が、支払者による承認のために、支払者の第１のコンピューティング装置のウェブブラウザを支払者の第２のコンピューティング装置へリンクさせる要求と共に支払情報を表示し、ユーザから支払承認と支払者の第１のコンピューティング装置のウェブブラウザを支払者の第２のコンピューティング装置へリンクさせることの許可とを受信し、支払識別コードとリンク許可とを金融機関のコンピューティング装置に送信するステップと、
前記金融機関のコンピューティング装置が、支払者から受領者への支払を調整し、支払者の第２のコンピューティング装置の連絡先詳細と共に、リンク許可を支払代理人のコンピューティング装置に送信するステップと、
支払代理人のコンピューティング装置がリンク許可と連絡先詳細とを受信し、リンクトークンを生成し、リンクトークンを連絡先詳細と共に格納し、リンクトークンを流通者のコンピューティング装置に送信するステップと、
前記流通者のコンピューティング装置が、支払者の第１のコンピューティング装置のウェブブラウザにリンクトークンを提供するステップと、
支払者の第１のコンピューティング装置が、リンクトークンを格納するステップと、
を含む。
プッシュ支払を用いて支払者と受領者との間のトランザクションを支援するコンピュータ実装方法であって、当該方法は、
支払者が第１のコンピューティング装置上でウェブブラウザを用いて購入を行い、トークン化された支払トランザクションスキームを用いて支払を選択するステップと、
支払代理人のコンピューティング装置にプロンプトを送信して、支払識別コードを、支払者の第１のコンピューティング装置に提供するステップと、
前記支払代理人のコンピューティング装置が、それに応答して、明確に識別される前記支払を可能にするために一意である支払識別コードを生成し、前記支払識別コードを格納するステップと、
ウェブブラウザが支払識別コードを流通者のコンピューティング装置に提供し、流通者は受領者への支払を収集するために受領者に関連付けられる、ステップと、
流通者のコンピューティング装置が、支払識別コードを、受領者及び支払金額を識別する支払情報と共に支払代理人のコンピューティング装置へ送信するステップと、
支払代理人のコンピューティング装置が、関連付けられた支払識別コードと共に支払情報を格納するステップと、
支払者の第２のコンピューティング装置が、前記支払識別コードを受信するステップと、
支払者の第２のコンピューティング装置が、支払識別コードを金融機関のコンピューティング装置へ送信するステップであって、前記金融機関は前記支払者からの支払を行う、前記支払者と関連付けられた金融機関である、ステップと、
前記金融機関のコンピューティング装置が、前記支払識別コードを、前記支払代理人のコンピューティング装置に送信するステップと、
支払代理人のコンピューティング装置が、前記支払識別コードを受信して、前記支払識別コードを用いて前記支払識別コードに関連付けられた、以前に格納された支払情報を検索し、前記支払識別コードに関連付けられた前記支払情報を前記金融機関のコンピューティング装置に送信するステップと、
前記金融機関のコンピューティング装置が、前記支払情報と支払識別コードとを、前記支払者の第２のコンピューティング装置に送信するステップと、
支払者の第２のコンピューティング装置が、支払者による承認のために、支払者の第１のコンピューティング装置のウェブブラウザを支払者の第２のコンピューティング装置へリンクさせる要求と共に支払情報を表示し、ユーザから支払承認と支払者の第１のコンピューティング装置のウェブブラウザを支払者の第２のコンピューティング装置へリンクさせることの許可とを受信し、支払識別コードとリンク許可とを金融機関のコンピューティング装置に送信するステップと、
前記金融機関のコンピューティング装置が、支払者から受領者への支払を調整し、支払者の第２のコンピューティング装置の連絡先詳細と共に、リンク許可を支払代理人のコンピューティング装置に送信するステップと、
支払代理人のコンピューティング装置がリンク許可と連絡先詳細とを受信し、リンクトークンを生成し、リンクトークンを連絡先詳細と共に格納し、リンクトークンを流通者のコンピューティング装置に送信するステップと、
前記流通者のコンピューティング装置が、支払者の第１のコンピューティング装置のウェブブラウザにリンクトークンを提供するステップと、
支払者の第１のコンピューティング装置が、リンクトークンを格納するステップと、
を含む。
リンクトークンは一意の識別子であってよい。流通者のコンピューティング装置は、支払者の第１のコンピューティング装置のウェブブラウザに、支払が調整されたことの確認と共にリンクトークンを提供してよい。
消費者と販売者との間の注文を支援するコンピュータ実装方法であって、当該方法は、
前記消費者のコンピューティング装置が、配送先住所を提供することなく前記販売者のコンピューティング装置へ注文を提出するステップと、
流通者のコンピューティング装置が、支払識別コードと配送先住所との要求を支払代理人のコンピューティング装置へ送信するステップであって、前記流通者は前記販売者への支払を収集するために前記販売者に関連付けられ、前記要求は前記販売者と支払金額とを識別する支払情報を含む、ステップと、
前記支払代理人のコンピューティング装置が、明確に識別される前記支払を可能にする一意の前記支払情報と関連付けられた支払識別コードを生成し、前記支払識別コードを、前記関連付けられた支払情報と、配送先住所が収集されるべきという標示と共に格納するステップと、前記支払識別コードを前記流通者のコンピューティング装置に提供するステップと、
前記流通者のコンピューティング装置が、前記消費者に前記支払識別コードを、直接的に又は前記販売者のコンピューティング装置を介して提供するステップと、
前記消費者のコンピューティング装置が、前記支払識別コードを受信するステップと、
前記支払識別コードを受信した前記消費者のコンピューティング装置が、前記支払識別コードを金融機関のコンピューティング装置へ送信するステップであって、前記金融機関は前記消費者からの支払を行う、前記消費者と関連付けられた金融機関である、ステップと、
前記金融機関のコンピューティング装置が、前記支払識別コードを、前記支払代理人のコンピューティング装置に送信するステップと、
前記支払代理人のコンピューティング装置が、前記支払識別コードを受信して、前記支払識別コードを用いて、前記支払識別コードに関連付けられた、前記格納された支払情報を検索するステップと、前記支払識別コードに関連付けられた前記支払情報を前記金融機関のコンピューティング装置に送信するステップと、配送先住所が要求されることの標示が格納されたことに応答して、配送先住所の要求を前記金融機関のコンピューティング装置に送信するステップと、
前記金融機関のコンピューティング装置が、前記支払情報と、前記支払識別コードと、配送先住所の要求とを、前記支払識別コードを受信した前記消費者のコンピューティング装置へ送信するステップと、
前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップと、
前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップと、
前記金融機関のコンピューティング装置が前記消費者から前記販売者への支払を、前記販売者に直接的に又は前記流通者を介して間接的に調整するステップと、
前記販売者のコンピューティング装置が前記選択された配送先住所の前記標示を受信するステップと、を含んでよい。
消費者と販売者との間の注文を支援するコンピュータ実装方法であって、当該方法は、
消費者のコンピューティング装置を用いて、支払識別コードの要求を金融機関のコンピューティング装置へ送信するステップであって、前記金融機関は前記消費者からの支払を行う、前記支払者と関連付けられた金融機関である、ステップと、
前記金融機関のコンピューティング装置が、前記支払識別コードの要求を、支払代理人のコンピューティング装置に送信するステップと、
前記支払代理人のコンピューティング装置が応答して、明確に識別される前記支払を可能にする一意の支払識別コードを生成し、前記支払識別コードを、前記要求を行う金融機関の標示と共に格納し、前記支払識別コードを前記金融機関のコンピューティング装置に提供するステップと、
前記金融機関のコンピューティング装置が、前記支払識別コードを、前記消費者のコンピューティング装置に送信するステップと、
前記消費者のコンピューティング装置が、前記販売者のコンピューティング装置へ注文を提出し、配送先住所を提供せずに前記支払識別コードを提供するステップと、
流通者のコンピューティング装置が、前記支払代理人のコンピューティング装置にメッセージを送信するステップであって、前記流通者は前記販売者への支払を収集するために前記販売者に関連付けられ、前記要求は前記支払識別コードと前記販売者及び支払金額を識別する支払情報と、配送先住所の要求とを含む、ステップと、
前記支払代理人のコンピューティング装置が、前記支払情報と配送先住所が取得されるべきであるとの標示とを前記関連付けられた支払識別コードと共に格納するステップと、前記支払情報と配送先住所の要求とを前記金融機関のコンピューティング装置へ送信するステップと、
前記金融機関のコンピューティング装置が、前記支払情報と、前記支払識別コードと配送先住所の要求とを、前記支払識別コードを受信した前記消費者のコンピューティング装置へ送信するステップと、
前記支払識別コードを受信した前記消費者のコンピューティング装置が前記消費者による承認のために前記支払情報を表示するステップと、配送先住所の要求を受信したことに応答して、前記消費者に配送先住所を選択するよう促すステップと、
前記支払識別コードを受信した前記消費者のコンピューティング装置が、前記消費者から、承認と配送先住所の選択とを受信するステップと、前記支払識別コードと前記選択された配送先住所の標示とを含む支払要求メッセージを前記金融機関のコンピューティング装置に送信するステップと、
前記金融機関のコンピューティング装置が前記消費者から前記販売者への支払を、前記販売者に直接的に又は前記流通者を介して間接的に調整するステップと、
前記販売者のコンピューティング装置が前記選択された配送先住所の前記標示を受信するステップと、を含んでよい。
前記金融機関のコンピューティング装置は前記販売者のコンピューティング装置によって受信される前記選択された配送先住所を識別するメッセージを送信してよい。
前記選択された配送先住所を識別する前記メッセージは、前記金融機関のコンピューティング装置から前記販売者のコンピューティング装置へ、前記支払代理人のコンピューティング装置を介して又は選択的に前記流通者のコンピューティング装置を介して、送信されてよい。前記選択された配送先住所を識別する前記メッセージは、前記支払識別コードを含んでよい。
前記消費者のコンピューティング装置が、前記支払識別コードと前記選択された配送先住所の標示とを含む支払要求メッセージを前記金融機関のコンピューティング装置に送信するステップは、郵送用配送先住所、又は、前記金融機関のコンピューティング装置がメモリから前記消費者の郵送用配送先住所を検索することを可能にする識別コード、を含むことを含んでよい。
前記消費者のコンピューティング装置が前記消費者に配送先住所の選択を促すステップは、配送先住所を表示して前記消費者に前記表示された住所が使用されるべきことを確認するよう促すことを含んでよい。コンピュータ実装方法は、格納された既定の配送先住所を表示して、前記消費者に前記既定の配送先住所が使用されるべきことを確認するよう促すステップを更に含んでよい。前記消費者のコンピューティング装置が前記消費者に配送先住所を選択するよう促すことは、複数の配送先住所を表示して、前記表示された配送先住所の１つを前記注文用の配送先住所として選択するよう前記消費者に促すことを含んでよい。
【国際調査報告】
2019519861.tif 000013
2019519861.tif 000014
2019519861.tif 000015
2019519861.tif 000016